(57)【要約】【課題】携帯型端末で入力された文字情報を生かしてユーザによる文字入力を支援することが可能な車載文字入力装置の提供。【解決手段】本発明は、車両に搭載される車載文字入力装置であって、ユーザが車両外の携帯型端末に入力した文字情報又は該文字情報に基づいて学習により生成された入力学習情報を取得する文字情報等取得手段と、前記取得した文字情報又は入力学習情報に基づいて、当該車載文字入力装置に対するユーザの文字入力を支援する入力支援手段とを備えることを特徴とする。【選択図】図１
2009271720.tif 000002
【特許請求の範囲】
【請求項１】
車両に搭載される車載文字入力装置であって、
ユーザが車両外の携帯型端末に入力した文字情報又は該文字情報に基づいて学習により生成された入力学習情報を取得する文字情報等取得手段と、
前記取得した文字情報又は入力学習情報に基づいて、当該車載文字入力装置に対するユーザの文字入力を支援する入力支援手段とを備えることを特徴とする、車載文字入力装置。
【請求項２】
前記携帯型端末は、携帯電話である、請求項１に記載の車載文字入力装置。
【請求項３】
前記文字情報等取得手段は、車両外に設けられるサーバーを介して前記文字情報又は入力学習情報を取得し、該サーバーには、前記携帯型端末から供給される前記文字情報又は入力学習情報が蓄積される、請求項１又は２に記載の車載文字入力装置。
【請求項４】
前記入力支援手段は、当該車載文字入力装置に対するユーザの文字入力の目的の相違に応じて、前記取得した文字情報又は入力学習情報に基づく入力支援態様を変更する、請求項１に記載の車載文字入力装置。
【請求項５】
前記入力支援手段は、当該車載文字入力装置に対するユーザの文字入力の目的が名詞のみの入力目的である場合には、前記ユーザが車両外の携帯型端末に入力した文字情報のうちの名詞部分の単語を入力候補単語として選択可能に表示する、請求項４に記載の車載文字入力装置。
【請求項６】
前記入力支援手段は、当該車載文字入力装置に対するユーザの文字入力の目的が文章の入力目的である場合には、前記ユーザが車両外の携帯型端末に入力した文字情報で学習された入力学習情報を用いて、ユーザの文字入力を支援する、請求項４に記載の車載文字入力装置。
【請求項７】
請求項１〜６のうちのいずれか１項に記載の車載文字入力装置と、前記文字情報又は入力学習情報を蓄積し、該車載文字入力装置に、前記文字情報又は入力学習情報を送信するサーバーとを含む、文字入力支援システム。
【請求項８】
前記サーバーに、前記文字情報又は入力学習情報を送信する前記携帯型端末を更に含む、請求項７に記載の文字入力支援システム。
【発明の詳細な説明】
【技術分野】
【０００１】
本発明は、ユーザによる文字入力を支援する車載文字入力装置及びこれを用いる文字入力支援システムに関する。
【背景技術】
【０００２】
従来から、入力手段を介して到達場所設定入力があったときの現在地を到達場所設定履歴情報として設定履歴記憶手段に記憶させるか、又は、ナビゲーション手段による案内が終了したときに、そのときの現在地を到達場所として推定し、到達場所設定履歴情報として設定履歴記憶手段に記憶させ、制御手段は、入力手段を介して入力される場所に関するキーワードの内容から場所を直接特定するための所定の規則に従って検索データベースを検索し、その検索結果を設定履歴記憶手段に記憶されている設定履歴情報に基づいて決定された優先順位に従って提示部に提示させ、さらに、提示部に提示させた検索結果のうち、入力手段を介して入力された選択入力により選択された場所を、目的地設定履歴情報として設定履歴記憶手段に記憶させることを特徴とするナビゲーション装置が知られている（例えば、特許文献１参照）。
【特許文献１】特開２００７−９３５８３号公報
【発明の開示】
【発明が解決しようとする課題】
【０００３】
ところで、近年では、携帯電話等の携帯型端末は、過去に入力した文字情報を用いて学習される入力学習辞書データベースを備え、ユーザによる文字入力を支援する機能を備えることが一般的である。他方、これに対応して、車両に搭載される車載文字入力装置においても、かかる入力学習辞書データベースを設定し、ユーザによる文字入力を支援することが有用である。しかしながら、これらの双方の入力端末（携帯型端末及び車載文字入力装置）では、それぞれ、入力する文字情報が共通する場合もあるので、車載文字入力装置において、携帯型端末で入力された文字情報を生かしてユーザによる文字入力を支援することが更に有用である。
【０００４】
そこで、本発明は、携帯型端末で入力された文字情報を生かしてユーザによる文字入力を支援することが可能な車載文字入力装置及びこれを用いる文字入力支援システムの提供を目的とする。
【課題を解決するための手段】
【０００５】
上記目的を達成するため、第１の発明は、車両に搭載される車載文字入力装置であって、
ユーザが車両外の携帯型端末に入力した文字情報又は該文字情報に基づいて学習により生成された入力学習情報を取得する文字情報等取得手段と、
前記取得した文字情報又は入力学習情報に基づいて、当該車載文字入力装置に対するユーザの文字入力を支援する入力支援手段とを備えることを特徴とする。
【０００６】
第２の発明は、第１の発明に係る車載文字入力装置において、
前記携帯型端末は、携帯電話であることを特徴とする。
【０００７】
第３の発明は、第１又は２の発明に係る車載文字入力装置において、
前記文字情報等取得手段は、車両外に設けられるサーバーを介して前記文字情報又は入力学習情報を取得し、該サーバーには、前記携帯型端末から供給される前記文字情報又は入力学習情報が蓄積されることを特徴とする。
【０００８】
第４の発明は、第１の発明に係る車載文字入力装置において、
前記入力支援手段は、当該車載文字入力装置に対するユーザの文字入力の目的の相違に応じて、前記取得した文字情報又は入力学習情報に基づく入力支援態様を変更することを特徴とする。
【０００９】
第５の発明は、第４の発明に係る車載文字入力装置において、
前記入力支援手段は、当該車載文字入力装置に対するユーザの文字入力の目的が名詞のみの入力目的である場合には、前記ユーザが車両外の携帯型端末に入力した文字情報のうちの名詞部分の単語を入力候補単語として選択可能に表示することを特徴とする。
【００１０】
第６の発明は、第４の発明に係る車載文字入力装置において、
前記入力支援手段は、当該車載文字入力装置に対するユーザの文字入力の目的が文章の入力目的である場合には、前記ユーザが車両外の携帯型端末に入力した文字情報で学習された入力学習情報を用いて、ユーザの文字入力を支援することを特徴とする。
【００１１】
また、上記目的を達成するため、第７の発明は、文字入力支援システムに関し、上述の車載文字入力装置と、前記文字情報又は入力学習情報を蓄積し、該車載文字入力装置に、前記文字情報又は入力学習情報を送信するサーバーとを含むことを特徴とする。
【００１２】
第８の発明は、第７の発明に係る文字入力支援システムにおいて、
前記サーバーに、前記文字情報又は入力学習情報を送信する前記携帯型端末を更に含むことを特徴とする。
【発明の効果】
【００１３】
本発明によれば、携帯型端末で入力された文字情報を生かしてユーザによる文字入力を支援することが可能な車載文字入力装置及びこれを用いる文字入力支援システムが得られる。
【発明を実施するための最良の形態】
【００１４】
以下、図面を参照して、本発明を実施するための最良の形態の説明を行う。
【００１５】
図１は、本発明による文字入力支援システム１の一実施例の全体構成を示すシステム構成図である。
【００１６】
文字入力支援システム１は、車両に搭載される車載文字入力装置２０と、当該車両のユーザが携帯する携帯機７０と、センターサーバー８０とを備える。
【００１７】
携帯機７０は、主に、通信アンテナ７２、入力学習辞書データベース７４、表示部７６、情報入力部７８及び情報処理部７９を備える。情報処理部７９は、図示しないバスを介して互いに接続されたＣＰＵ、ＲＯＭ、及びＲＡＭ等からなるマイクロコンピュータとして構成されている。ＲＯＭには、ＣＰＵが実行するプログラムやデータが格納されている。
【００１８】
図２は、携帯機７０の一実施例の主要構成を示す図である。
【００１９】
携帯機７０は、例えば携帯電話により構成される。携帯機７０は、通信アンテナ７２を介してセンターサーバー８０と双方向の無線通信を行い、後述の入力文字情報及び入力学習情報をセンターサーバー８０を介して車載文字入力装置２０に供給する。携帯機７０は、入力学習辞書データベース７４を備える。入力学習辞書データベース７４には、所与の辞書データや、ユーザが過去に入力した入力文字情報や、該文字情報を用いて学習により生成される入力学習情報が蓄積される。情報処理部７９は、表示部７６に各種情報を表示すると共に、情報入力部７８を介してユーザが入力する入力文字情報（例えばメールを構成する文字情報）に基づいて、学習により入力学習辞書データベース７４の更新を行う。入力学習辞書データベース７４の更新方法（学習方法）は任意であってよい。携帯機７０は、入力学習辞書データベース７４内のデータ（入力文字情報及び入力学習情報）を、センターサーバー８０に送信する機能を有する以外は、通常の携帯電話と同様の構成を有するものであってよい。
【００２０】
入力文字情報は、例えばユーザが情報入力部７８を介して入力する入力文字そのものを表す情報であってもよいし、入力文字のうち特定の品詞（名詞や形容詞）だけを表す情報であってよい。入力学習情報は、例えば、入力文字情報のうち使用頻度が高い入力文字を表す情報であってもよいし、それらの使用頻度や優先度等を表す学習情報を含んでよい。また、入力学習情報は、辞書データと一体化した入力学習辞書データベースデータそのものであってもよい。いずれにしても、入力文字情報及び入力学習情報は、互いに明確に区別される情報である必要はなく、入力学習情報は、入力文字情報を反映するものであるので、入力文字情報及び入力学習情報は入力学習情報単体として構成されてもよい。以下では、入力文字情報及び入力学習情報は、特に区別する必要がない場合に、単に入力学習情報と称する。
【００２１】
図３は、車載文字入力装置２０の一実施例の主要構成を示す図である。
【００２２】
車載文字入力装置２０は、入力支援ＥＣＵ２６を中心として構成される。入力支援ＥＣＵ２６は、図示しないバスを介して互いに接続されたＣＰＵ、ＲＯＭ、及びＲＡＭ等からなるマイクロコンピュータとして構成されている。ＲＯＭには、ＣＰＵが実行するプログラムやデータが格納されている。入力支援ＥＣＵ２６は、例えばナビゲーション装置のＥＣＵにより実現されてもよいし、専用のＥＣＵであってもよいし、複数のＥＣＵにより協動して実現されてもよい。
【００２３】
入力支援ＥＣＵ２６には、通信機２２、ユーザインターフェース２８、入力学習辞書データベース３０、及び、ディスプレイ３２が接続される。
【００２４】
通信機２２は、入力支援ＥＣＵ２６による制御下で、通信アンテナ２４を介してセンターサーバー８０と無線通信を行い、各種情報のやり取りを行う。例えば、通信機２２は、入力学習情報をセンターサーバー８０から受信する。即ち、通信機２２は、センターサーバー８０を介して携帯機７０から入力学習情報を受信する。
【００２５】
ユーザインターフェース２８は、ユーザからの文字入力等を受け付ける装置であり、例えばタッチパネルディスプレイのタッチスイッチや、リモコンの入力スイッチや、インストルメントパネル等に設定される入力スイッチ等であってよい。
【００２６】
入力学習辞書データベース３０は、書き換え可能な不揮発性のメモリ（補助記憶装置）で構成され、例えばハードディスクドライブで構成されてよい。入力学習辞書データベース３０には、入力学習辞書データベースデータが格納される。本実施例では、入力学習辞書データベース３０内の入力学習辞書データベースデータは、上述のセンターサーバー８０を介して携帯機７０から得られる入力学習情報を用いて更新（学習）される。尚、当然ながら、入力学習辞書データベース３０内の入力学習辞書データベースデータは、ユーザインターフェース２８を介して入力される文字情報に基づいて更新（学習）されてもよい。
【００２７】
尚、入力学習辞書データベース３０の更新タイミングは、任意であってよい。例えば、車両のイグニッションスイッチがオンにされる毎に、入力学習辞書データベース３０を介して最新の入力学習情報を取得して更新されてもよいし、例えば１ヶ月おきといったように定期的に更新されてもよい。或いは、例えばディスプレイ３２上に入力画面が表示される等、ユーザによる文字入力の意思が検出された場合に、入力学習辞書データベース３０を介して最新の入力学習情報を取得して更新されてもよい。
【００２８】
ディスプレイ３２は、車室内の適切な場所に配置され、例えばインストルメントパネル等に配置される。ディスプレイ３２は、タッチパネルディスプレイであってもよく、この場合、ユーザインターフェース２８がタッチパネル上のタッチスイッチとして構成されてもよい。ディスプレイ３２上には、入力支援ＥＣＵ２６による制御下で、後述の各種のメニュー画面（入力画面）や候補選択用画面等が表示される。
【００２９】
センターサーバー８０は、複数のサーバーにより構成されてもよいが、この場合も、複数のサーバーは機能的に協働して１つのセンターサーバー８０として機能する。センターサーバー８０は、上述の如くユーザの携帯機７０から送信される入力学習情報を受信し、当該受信した入力学習情報を、同一ユーザに係る車両の車載文字入力装置２０に送信する。尚、ユーザの特定は、ユーザ毎に付与されたＩＤ等を用いて実現されてもよい。また、センターサーバー８０は、ユーザの携帯機７０から送信される入力学習情報（入力学習辞書データベースデータを含む）を蓄積して中央管理するためのデータベース８２（図１）を有してもよい。
【００３０】
図４は、入力学習辞書データベース３０を用いて入力支援ＥＣＵ２６による実行される文字入力支援処理の一例を示すフローチャートである。
【００３１】
ステップ１００では、入力支援ＥＣＵ２６は、ディスプレイ３２上に、例えばユーザからの指示に応じた入力画面を表示する。例えば、図５に示す名称／読み検索用の入力画面を表示する。入力画面は多種多様な形態であり、複数種類の入力画面が階層構造で用意されてもよい。図５に示す入力画面では、ユーザにより入力された文字を表示する表示領域Ｘ１の他、各種のタッチスイッチ（ユーザインターフェース２８）が表示されている。図５に示す入力画面では、ユーザが“あ”という文字のタッチスイッチを押して、“あ”という文字が入力された状態を示している。
【００３２】
ステップ１０２では、入力支援ＥＣＵ２６は、候補スイッチが操作されたか否かを判定する。候補スイッチは、ユーザが入力候補単語の表示を求める際に操作されるスイッチであり、例えば図５に示すように、入力画面上に構成されてもよい。候補スイッチが操作された場合には、ステップ１０４に進み、それ以外の場合には、ステップ１００に戻る。即ち候補スイッチや文字入力スイッチ等の操作待ち状態となる。
【００３３】
ステップ１０４では、入力支援ＥＣＵ２６は、今回のユーザの文字入力の目的を判断し、例えば今回のユーザの文字入力の目的が、名称の入力か文章の入力かを判断する。この判断は、現在表示されている入力画面の種類等を考慮することで実現することができる。例えば、現在表示されている入力画面がメールの作成用の画面である場合には、今回のユーザの文字入力の目的が文章の入力であると判断されてよく、現在表示されている入力画面がナビゲーション装置の目的地入力用の画面や施設等検索用画面等である場合には、今回のユーザの文字入力の目的が名称（名詞）の入力であると判断されてよい。今回のユーザの文字入力の目的が名称の入力である場合には、ステップ１０６に進み、今回のユーザの文字入力の目的が文章の入力である場合には、ステップ１０８に進む。
【００３４】
ステップ１０６では、入力支援ＥＣＵ２６は、入力学習辞書データベース３０内から名称（名詞）だけを抽出して、当該抽出した名詞群から入力候補単語（ユーザが入力したいと予測される単語）を決定する。ここで、本実施例では、入力学習辞書データベース３０内には、上述の如く携帯機７０からの入力学習情報（特に入力文字情報）が含まれているので、携帯機７０でユーザが過去に入力したことのある名称が効率的に入力候補単語として決定されることになる。
【００３５】
ステップ１０８では、入力支援ＥＣＵ２６は、入力学習辞書データベース３０内の全てのデータに基づいて（名詞等の品詞を考慮せず）、入力候補単語ないし入力候補文章（以下、入力候補単語で代表する。）を決定する。ここで、本実施例では、入力学習辞書データベース３０内には、上述の如く携帯機７０からの入力学習情報が含まれているので、入力支援ＥＣＵ２６は、実質的には、携帯機７０の入力学習辞書データベース７４内の入力学習辞書データベースと同様の入力学習辞書データベースを用いて、入力候補単語を決定することになる。
【００３６】
ステップ１１０では、入力支援ＥＣＵ２６は、ディスプレイ３２上の入力画面を候補選択用画面に切り替え、当該候補選択用画面上に、決定した入力候補単語を表示する。この際、入力候補単語が複数存在する場合には、入力支援ＥＣＵ２６は、入力学習辞書データベース３０内の入力学習情報に基づいて、例えば使用頻度の高い入力候補単語が優先的に（上位の位置に）表示する。ここで、本実施例では、入力学習辞書データベース３０内には、上述の如く携帯機７０からの入力学習情報が含まれているので、携帯機７０で入力するときと同様の優先順位で入力候補単語が表示されることになる。
【００３７】
ここで、上記ステップ１０６を経由した場合、本ステップ１０６で表示される候補選択用画面は、例えば図６（Ａ）に示すような画面であってよい。図６（Ａ）に示す候補選択用画面は、図５に示した“あ”という文字が入力された状態で候補スイッチが操作された場合の画面の一例である。図６（Ａ）に示す候補選択用画面では、“あ”という文字が頭に付く名称の候補として、入力候補単語Ａ１〜Ａ５が表示される。この場合、入力候補単語は、施設名、地名、建物名等の名詞のみからなる。また、図６（Ａ）に示す候補選択用画面では、携帯機７０からの入力学習情報が用いられることに起因して、ユーザが携帯機７０で入力したことがある単語が、入力候補単語として優先的に表示される。例えばこの場合、ユーザは、携帯機７０にて、メール等の文書中を含めて、“青山”等の単語を比較的頻繁に入力したことがあることを示す。図６（Ａ）に示す候補選択用画面では、入力候補単語Ａ１がハッチングにより第１候補として示されている。
【００３８】
他方、上記ステップ１０８を経由した場合、本ステップ１０８で表示される候補選択用画面は、例えば図６（Ｂ）に示すような画面であってよい。図６（Ｂ）に示す候補選択用画面は、図５に示した“あ”という文字が入力された状態で候補スイッチが操作された場合の画面の一例である。図６（Ｂ）に示す候補選択用画面では、“あ”という文字が頭に付く文字の候補として、入力候補単語Ｂ１〜Ｂ５が表示される。この場合、入力候補単語は、施設名、地名、建物名等の名詞のみならず、形容詞や動詞等の文字をも含みうる。また、図６（Ｂ）に示す候補選択用画面では、携帯機７０からの入力学習情報が用いられることに起因して、ユーザが携帯機７０で入力したことがある単語ないし文章が、入力候補単語として優先的に表示される。例えばこの場合、ユーザは、携帯機７０にて、メール等の文書中を含めて、“ありがとう”等の単語を比較的頻繁に入力したことがあることを示す。図６（Ｂ）に示す候補選択用画面では、入力候補単語Ｂ１がハッチングにより第１候補として示されている。尚、入力候補単語Ｂ１〜Ｂ５が、図６（Ａ）に示す候補選択用画面に表示される入力候補単語Ａ１〜Ａ５と異なる理由は、上記のステップ１０６及び１０８において検索条件が異なるからである。
【００３９】
ステップ１１２では、入力支援ＥＣＵ２６は、候補選択用画面において、特定の１つの入力候補単語が選択・決定されたか否かを判定する。例えば、図６（Ａ）に示す候補選択用画面では、ユーザは、入力候補単語Ａ１が所望の単語である場合には、そのまま決定ボタンを押し、その他の入力候補単語Ａ２〜Ａ５が所望の単語である場合には、当該所望の単語の部分をタッチして選択してから、決定ボタンを押す。この場合、当該特定の１つの入力候補単語が決定されたことになり、ステップ１１６に進む。他方、入力候補単語の中に所望の単語が存在しない場合には、次頁スイッチをタッチして他の入力候補単語を表示させてもよい。また、入力候補単語の中に所望の単語が存在しない場合には、ユーザは戻るスイッチをタッチすることで、図５に示すような元の入力画面に戻ることができる（ステップ１１４の肯定判定）。
【００４０】
ステップ１１６では、入力支援ＥＣＵ２６は、上記ステップ１１２で決定された入力候補単語が入力されたものとして、元の入力画面へと画面を遷移させる。例えば、図７は、図６（Ａ）に示す候補選択用画面においてユーザが入力候補単語Ａ２を選択してから決定ボタンを押した場合に表示される入力画面を示す。この場合、ユーザは、所望の単語の各文字を個々に入力することなく、所望の単語を入力することができる。
【００４１】
以上説明した本実施例によれば、とりわけ、以下のような優れた効果が奏される。
【００４２】
先ず、上述の如く、ユーザが携帯機７０で文字入力した際に得られる入力学習情報を生かして、同ユーザによる車載文字入力装置２０に対する文字入力を支援することで、車載文字入力装置２０に対する文字入力の操作性が向上する。即ち、ユーザは、車載文字入力装置２０において、携帯機７０で入力したことのある文字や表現を、少ない操作入力で容易に入力することができるようになる。
【００４３】
また、上述の如く、車載文字入力装置２０において文字入力する際の状況（入力目的）に応じて、携帯機７０から得られる入力学習情報の利用方法を変化させて、文字入力の支援態様を変化させることで、ユーザの文字入力の目的の相違に応じた適切な支援を実現することができる。即ち、ユーザが目的地等の名称（名詞）を文字入力する際には、携帯機７０で文字入力された文章のうちの名詞部分だけが入力候補単語の探索に用いられるので、ユーザとシステムの双方にとって効率的な探索処理を実現することができる。また、ユーザがメール等の文章を文字入力する際には、携帯機７０で文字入力された文章に基づいて学習された入力学習情報を用いて、入力候補単語の探索が実行される。これにより、ユーザは、車載文字入力装置２０においても、携帯機７０で可能な簡単な文章入力が可能となる。
【００４４】
以上、本発明の好ましい実施例について詳説したが、本発明は、上述した実施例に制限されることはなく、本発明の範囲を逸脱することなく、上述した実施例に種々の変形及び置換を加えることができる。
【００４５】
例えば、上述の実施例では、図４に示した処理は、携帯機７０から得られる入力学習情報を用いて既に学習された入力学習辞書データベース３０内の入力学習辞書データベースに基づいて実行されているが、例えば図４のステップ１０２の候補スイッチが操作された際に、携帯機７０から得られる入力学習情報を取得し、当該取得した入力学習情報に基づいて入力学習辞書データベース３０内の入力学習辞書データベースが学習されることとしてもよい。この場合、更に、図４のステップ１０４での判断結果に応じて、センターサーバー８０側で入力学習情報を編集して車載文字入力装置２０に送信する情報を変化させてもよい。例えば、ユーザの文字入力の目的が名称の入力である場合には、携帯機７０から入力文字情報（若しくはその中の名詞に関する入力文字情報）のみを取得し、ユーザの文字入力の目的が文章の入力である場合には、携帯機７０から入力学習情報（入力学習辞書データベースデータを含む）取得することとしてもよい。かかる構成では、ユーザの文字入力の目的が名称の入力である場合には、入力学習情報を取得する場合に比べて少ない通信量で必要なデータが得られるので、通信負荷を低減することができる。
【００４６】
また、上述の実施例では、携帯機７０からの入力学習情報がセンターサーバー８０を介して車載文字入力装置２０に供給されているが、センターサーバー８０を介さずに携帯機７０から入力学習情報が車載文字入力装置２０に直接供給されることとしてもよい。例えば携帯機７０は、例えばBluetooth（登録商標）により車載文字入力装置２０と通信し、入力学習情報を車載文字入力装置２０に供給することとしてもよい。
【００４７】
また、上述の実施例では、入力候補単語を入力画面（図５参照）とは別の画面（図６参照）で表示することで、文字入力の支援を実行しているが、文字入力の支援態様は任意である。例えば、入力画面（図５参照）の一部領域に、入力候補単語を割り込み表示させることとしてもよい。或いは、入力画面の表示領域Ｘ１（図５参照）内において、入力された文字に後続する位置に、優先順位の高い入力候補単語を表示させることとしてもよい。この場合、ユーザが所定の決定スイッチを押したときの入力候補単語が入力されることとし、ユーザがスクロールボタンを押して入力候補単語を順次変更できるようにしてもよく、また、ユーザが他の文字を新たに入力したときに入力候補単語が非表示となり、文字入力が継続できるようにしてもよい。また、上述のようなその他の支援方法においては、上述の実施例における候補スイッチを省略し、入力候補単語が自動的に表示されるようにしてもよい。
【００４８】
また、上述の実施例では、入力候補単語は、漢字やカタカナを含むものであるが、例えば入力画面がひらがな入力画面である場合には、入力候補単語は、ひらがなのみからなってもよいし、或いは、英語やその他の言語、略語等を含んでもよい。
【００４９】
また、上述の実施例では、入力候補単語は、ある文字（上述の例では“あ”という文字）が頭に付く単語であったが、入力候補単語は、その他の条件で抽出されてもよい。特に、ユーザがメール等の文章を文字入力する目的である場合には（ステップ１０８参照）、ある文字や文章が入力されたときに、当該文字や文章に後続して頻繁に入力される文字や文章を、入力候補単語として抽出・表示してもよい。
【図面の簡単な説明】
【００５０】
【図１】本発明による文字入力支援システム１の一実施例の全体構成を示すシステム構成図である。
【図２】携帯機７０の一実施例の主要構成を示す図である。
【図３】車載文字入力装置２０の一実施例の主要構成を示す図である。
【図４】入力支援ＥＣＵ２６による実行される文字入力支援処理の一例を示すフローチャートである。
【図５】文字入力用の入力画面の一例を示す図である。
【図６】図６（Ａ）は、名称入力時の入力候補単語の表示画面の一例を示す図であり、図６（Ｂ）は、文章入力時の入力候補単語の表示画面の一例を示す図である。
【図７】図６（Ａ）に示す候補選択用画面においてユーザが入力候補単語Ａ２を選択してから決定ボタンを押した場合に表示される入力画面を示す図である。
【符号の説明】
【００５１】
２０    車載文字入力装置
２２    通信機
２４    通信アンテナ
２６    入力支援ＥＣＵ
２８    ユーザインターフェース
３０    入力学習辞書データベース
３２    ディスプレイ
７０    携帯機
７２    通信アンテナ
７４    入力学習辞書データベース
７６    表示部
７８    情報入力部
７９    情報処理部
８０    センターサーバー
８２    データベース
【図１】
2009271720.tif 000003
【図２】
2009271720.tif 000004
【図３】
2009271720.tif 000005
【図４】
2009271720.tif 000006
【図５】
2009271720.tif 000007
【図６】
2009271720.tif 000008
【図７】
2009271720.tif 000009